(57)【要約】【課題】簡単な構成でコイルスプリングを確実に支持して圧縮させることのできるコイルスプリングコンプレッサを提供する。【解決手段】ボデー１と、ボデー１の軸心Ｌ方向に離間して配置された二つのアーム２、３と、アーム２、３のそれぞれに取り付けられた二つのフック４、５、６、７と、を備え、フック４、５、６、７でコイルスプリングＳを支持した姿勢で二つのアーム２、３をボデー１の軸心Ｌ方向で近接させることによってコイルスプリングＳを圧縮するコイルスプリングコンプレッサであって、フック４、５、６、７にはそれぞれ、フック４、５、６、７からコイルスプリングＳが脱落するのを防止する抜止めピン２７、２８、３７、３８が設けられている。【選択図】図１
2014104531.tif 000002
【特許請求の範囲】
【請求項１】
ボデーと、該ボデーの軸心方向に離間して配置された少なくとも二つのアームと、該アームのそれぞれに取り付けられた少なくとも二つのフックと、を備え、該フックでコイルスプリングを支持した姿勢で前記少なくとも二つのアームをボデーの軸心方向で近接させることによって該コイルスプリングを該軸心方向へ圧縮するコイルスプリングコンプレッサであって、
前記フックにはそれぞれ、該フックからコイルスプリングが脱落するのを防止する抜止めピンが設けられているコイルスプリングコンプレッサ。
【請求項２】
前記抜止めピンは前記フックの凹面と対向する位置に設けられており、前記フックの凹面と前記抜止めピンで画成される空間にコイルスプリングが遊嵌されるようになっている、請求項１に記載のコイルスプリングコンプレッサ。
【請求項３】
前記フックは前記アームに対して回転自在に取り付けられており、前記抜止めピンが、前記フックのアームに対する回転に同期して回転するようになっている、請求項１または２に記載のコイルスプリングコンプレッサ。
【請求項４】
前記抜止めピンは取付プレートを介して前記アームに取り付けられており、該取付プレートと前記フックが前記アームに対して同期して回転するようになっている、請求項３に記載のコイルスプリングコンプレッサ。
【発明の詳細な説明】
【技術分野】
【０００１】
本発明はコイルスプリングコンプレッサに関し、たとえば車両用のサスペンションで適用されるコイルスプリングを圧縮するためのコイルスプリングコンプレッサに関するものである。
【背景技術】
【０００２】
従来から、車両用のサスペンションの分解、組付け、交換などをおこなう際には、サスペンションのコイルスプリングを圧縮するためのコイルスプリングコンプレッサが使用されている。
【０００３】
ところで、車両用のサスペンションで適用されるコイルスプリングは、車両の用途や性能などに応じて、その外径や巻数、弾性係数などが大きく相違している。そのため、当該分野においては、様々なタイプのコイルスプリングに対応し得るコイルスプリングコンプレッサの開発が要望されている。
【０００４】
このような要請に対し、特許文献１、２には、様々なタイプのコイルスプリングを安全に圧縮することのできるコイルスプリングコンプレッサが開示されている。
【０００５】
特許文献１に開示されている車両コイルスプリングの圧縮装置は、送りねじ機構を備えた圧縮装置本体と、送りねじ機構で間隔寸法が可変な２つの係合爪部とを有し、この２つ係合爪部がコイルスプリングの軸線方向に離れた個所の捲線に外側から引っ掛けられる突出爪部を備えており、少なくとも一方の係合爪部の突出爪部に対向して、当該突出爪部と共にコイルスプリングの捲線を挟み込んで捲線の外れを防止する外れ防止爪部を設けたものである。
【０００６】
また、特許文献２に開示されているコイルスプリングコンプレッサは、基軸に軸支されてコイルスプリングのアッパ側をその外方より係合する一対のアッパ係合片と、基軸に軸支されてコイルスプリングのロア側をその外方より係合する一対のロア係合片と、対向配置される各アッパ係合片あるいは各ロア係合片のそれぞれを基軸を中心に挾持方向に回動してコイルスプリングを圧縮する挟圧手段と、を備え、一対のアッパ係合片並びにロア係合片のそれぞれには、コイルスプリングに掛着される爪体が回動可能でかつ取付自在に軸支されているものである。
【先行技術文献】
【特許文献】
【０００７】
【特許文献１】特開平１０−０７６４７５号公報
【特許文献２】特開平１０−１８０６５０号公報
【発明の概要】
【発明が解決しようとする課題】
【０００８】
特許文献１に開示されている車両コイルスプリングの圧縮装置によれば、少なくとも一方の係合爪部の突出爪部に対向して設けられた外れ防止爪部が突出爪部と共にコイルスプリングの捲線を挟み込んで捲線の外れを防止することによって、係合爪部がコイルスプリングの捲線から外れうる状態となっても、コイルスプリングがその圧縮装置から外れて撥ね飛ぶことが防止される。
【０００９】
また、特許文献２に開示されているコイルスプリングコンプレッサによれば、爪体が対応するアッパ係合片やロア係合片に対して回動自在に軸支されることによって、螺旋状のコイルスプリングに対応して傾斜状態でアッパ係合片とロア係合片の位置調整をおこなうことができる。
【００１０】
しかしながら、特許文献１に開示されている車両コイルスプリングの圧縮装置においては、コイルスプリングの捲線を挟み込む外れ防止爪部の構成が煩雑であり、圧縮装置の製造コストが高騰するといった問題や、２つの圧縮装置をコイルスプリングに取り付けた上でこの２つの圧縮装置の係合爪部同士の間隔を同期して縮める必要があり、コイルスプリングの圧縮作業が煩雑となるといった問題がある。
【００１１】
また、特許文献２に開示されているコイルスプリングコンプレッサにおいては、たとえばコイルスプリングを片締めした場合やコイルスプリングを圧縮したサスペンションを落下させた場合などに、コイルスプリングの捲線が爪体から外れるといった問題が生じ得る。
【００１２】
本発明は上記する問題に鑑みてなされたものであり、簡単な構成でコイルスプリングを確実に支持して圧縮させることのできるコイルスプリングコンプレッサを提供することを目的とする。
【課題を解決するための手段】
【００１３】
前記目的を達成すべく、本発明によるコイルスプリングコンプレッサは、ボデーと、該ボデーの軸心方向に離間して配置された少なくとも二つのアームと、該アームのそれぞれに取り付けられた少なくとも二つのフックと、を備え、該フックでコイルスプリングを支持した姿勢で前記少なくとも二つのアームをボデーの軸心方向で近接させることによって該コイルスプリングを該軸心方向へ圧縮するコイルスプリングコンプレッサであって、前記フックにはそれぞれ、該フックからコイルスプリングが脱落するのを防止する抜止めピンが設けられているものである。
【００１４】
上記するコイルスプリングコンプレッサによれば、それぞれのフックにコイルスプリングが脱落するのを防止する抜止めピンが設けられていることによって、それぞれのフックからコイルスプリングが脱落するのを確実に防止することができ、簡単な構成でコイルスプリングを確実に支持して圧縮させることができる。
【００１５】
また、上記するコイルスプリングコンプレッサは、前記抜止めピンが前記フックの凹面と対向する位置に設けられており、前記フックの凹面と前記抜止めピンで画成される空間にコイルスプリングが遊嵌されるようになっているものである。
【００１６】
上記するコイルスプリングコンプレッサによれば、フックの凹面と抜止めピンで画成される空間にコイルスプリングが遊嵌されることによって、コイルスプリングを圧縮する際に当該コイルスプリングをフックの凹面と抜止めピンで画成される空間内で摺動させることができ、コイルスプリングの圧縮時にコイルスプリングに付与される力を緩和することができるため、コイルスプリングを確実に支持しながらコイルスプリングの変形や損傷を抑制することができる。
【００１７】
また、上記するコイルスプリングコンプレッサは、前記フックが前記アームに対して回転自在に取り付けられており、前記抜止めピンが、前記フックのアームに対する回転に同期して回転するようになっているものである。
【００１８】
上記するコイルスプリングコンプレッサによれば、フックがアームに対して回転自在に取り付けられていることによって、たとえばコイルスプリングを圧縮する際のコイルスプリングの巻線角度の変化に追従して各フックを回動させることができ、コイルスプリングをフックの凹面でコイルスプリングを確実に支持することができ、コイルスプリングの変形や損傷を効果的に抑制することができる。また、抜止めピンが、フックのアームに対する回転に同期して回転することによって、たとえばコイルスプリングを圧縮する際のフックと抜止めピンの相対的な位置関係を維持することができ、コイルスプリングがフックから脱落するのを確実に防止することができる。
【００１９】
また、上記するコイルスプリングコンプレッサは、前記抜止めピンが取付プレートを介して前記アームに取り付けられており、該取付プレートと前記フックが前記アームに対して同期して回転するようになっているものである。
【００２０】
上記するコイルスプリングコンプレッサによれば、抜止めピンが取付プレートを介してアームに取り付けられていることによって、フックやアームの構成を大きく変更することなく、フックに対して抜止めピンを設けることができ、コイルスプリングコンプレッサの製造コストの高騰を抑制することができる。
【発明の効果】
【００２１】
以上の説明から理解できるように、本発明のコイルスプリングコンプレッサによれば、簡単な構成でそれぞれのフックからコイルスプリングが脱落するのを防止することができ、様々なタイプのコイルスプリングを確実に支持して圧縮させることができ、サスペンションの分解、組付け、交換などの作業性を高めることができる。
【図面の簡単な説明】
【００２２】
【図１】本発明のコイルスプリングコンプレッサの実施の形態の全体構成を示した全体斜視図である。
【図２】図１で示すコイルスプリングコンプレッサのアームの先端部を拡大して示した一部拡大図である。
【図３】図２で示すアームの先端部を説明した側面図であって、（ａ）は、フックと取付プレートがアーム構成体に対して回転した状態の一例を説明した図であり、（ｂ）は、フックと取付プレートがアーム構成体に対して略直交する姿勢で配置された状態を説明した図であり、（ｃ）は、フックと取付プレートがアーム構成体に対して回転した状態の他例を説明した図である。
【図４】図１で示すコイルスプリングコンプレッサの使用状態を概略的に示した全体斜視図である。
【図５】コイルスプリングをフックに係合させた際のアームの先端部を拡大して示した一部拡大図であって、（ａ）はその斜視図、（ｂ）はその側面図、（ｃ）は図５（ｂ）のＡ−Ａ矢視図である。
【図６】取付プレートに抜止めピンを取り付けた際のアームの先端部を拡大して示した一部拡大図であって、（ａ）はその斜視図、（ｂ）はその側面図、（ｃ）は図６（ｂ）のＢ−Ｂ矢視図である。
【図７】コイルスプリングコンプレッサにコイルスプリングをセットした状態を示した図であって、（ａ）はその上面図、（ｂ）は図７（ａ）のＣ−Ｃ矢視図である。
【図８】図７に続いて、コイルスプリングコンプレッサでコイルスプリングを圧縮した状態を示した図であって、（ａ）はその上面図、（ｂ）は図８（ａ）のＤ−Ｄ矢視図である。
【発明を実施するための形態】
【００２３】
以下、図面を参照して本発明のコイルスプリングコンプレッサの実施の形態を説明する。
【００２４】
まず、図１〜図３を参照して、本発明のコイルスプリングコンプレッサの実施の形態を概説する。図１は、本発明のコイルスプリングコンプレッサの実施の形態の全体構成を示した全体斜視図である。また、図２は、図１で示すコイルスプリングコンプレッサのアームの先端部を拡大して示した一部拡大図である。また、図３は、図２で示すアームの先端部を説明した側面図であって、図３（ａ）は、フックと取付プレートがアーム構成体に対して回転した状態の一例を説明した図であり、図３（ｂ）は、フックと取付プレートがアーム構成体に対して略直交する姿勢で配置された状態を説明した図であり、図３（ｃ）は、フックと取付プレートがアーム構成体に対して回転した状態の他例を説明した図である。
【００２５】
図１で示すコイルスプリングコンプレッサ１００は、主として、ボデー１と、ボデー１の軸心Ｌ方向に離間して配置された二つのアーム２、３と、アーム２に取り付けられた二つのフック４、５と、アーム３に取り付けられた二つのフック６、７と、を備えている。
【００２６】
アーム２は、半Ｕ字状の二つのアーム構成体２１、２２から構成されており、一方のアーム構成体２１の基部がボデー１に接続されており、他方のアーム構成体２２の基部がアーム構成体２１の基部に接続され、アーム構成体２２がアーム構成体２１の基部に対して相対的に回転自在となっている。これにより、アーム構成体２１、２２からなるアーム２が略Ｕ字状に形成されるとともに、アーム２を構成するアーム構成体２１、２２の先端部同士の相対的な位置が変更自在となっている。
【００２７】
また、アーム３は、アーム２と同様に、半Ｕ字状の二つのアーム構成体３１、３２から構成されており、一方のアーム構成体３１の基部がボデー１に接続されており、他方のアーム構成体３２の基部が構成体３１の基部に接続され、アーム構成体３２がアーム構成体３１の基部に対して相対的に回転自在となっている。これにより、アーム構成体３１、３２からなるアーム３が略Ｕ字状に形成されるとともに、アーム３を構成するアーム構成体３１、３２の先端部同士の相対的な位置が変更自在となっている。
【００２８】
フック４、５はそれぞれ、その凹面４１、５１が軸心Ｌ方向で離間して配置されるアーム３側を向くように、アーム構成体２１、２２の先端部の内面に取り付けられている。また、フック４、５はそれぞれ、アーム構成体２１、２２の先端部の内面（フック４、５とアーム構成体２１、２２との取付面）に直交する回転軸心Ｌ２１、Ｌ２２周りでアーム構成体２１、２２に対して相対的に回転自在となっている。また、フック６、７はそれぞれ、その凹面６１、７１が軸心Ｌ方向で離間して配置されるアーム２側を向くように、アーム構成体３１、３２の先端部の内面に取り付けられている。また、フック６、７はそれぞれ、アーム構成体３１、３２の先端部の内面（フック６、７とアーム構成体３１、３２との取付面）に直交する回転軸心Ｌ３１、Ｌ３２周りでアーム構成体３１、３２に対して相対的に回転自在となっている。なお、各フック４、５、６、７の凹面４１、５１、６１、７１は、各フック４、５、６、７で支持されるコイルスプリングの巻線と略相補的な形状を呈している。
【００２９】
また、アーム構成体２１、２２の先端部の外面には、貫通孔２５、２６を有する略矩形状の取付プレート２３、２４が取り付けられており、その貫通孔２５、２６を通って、たとえばボルトからなる抜止めピン２７、２８がアーム構成体２１、２２の先端部の内面に取り付けられたフック４、５の凹面４１、５１に対向する位置まで延設されている（図２参照）。ここで、取付プレート２３、２４はそれぞれ、アーム構成体２１、２２を介してフック４、５と連結されており、取付プレート２３、２４とフック４、５は、アーム構成体２１、２２に対して同期して回転軸心Ｌ２１、Ｌ２２周りで回転するようになっている（図３参照）。
【００３０】
また、アーム構成体３１、３２の先端部の外面には、貫通孔３５、３６を有する略矩形状の取付プレート３３、３４が取り付けられており、その貫通孔３５、３６を通って、たとえばボルトからなる抜止めピン３７、３８が、アーム構成体３１、３２の先端部の内面に取り付けられたフック６、７の凹面６１、７１に対向する位置まで延設されている。ここで、取付プレート３３、３４はそれぞれ、アーム構成体３１、３２を介してフック６、７と連結されており、取付プレート３３、３４とフック６、７は、アーム構成体３１、３２に対して同期して回転軸心Ｌ３１、Ｌ３２周りで回転するようになっている。
【００３１】
次に、図４を参照して、図１で示すコイルスプリングコンプレッサの使用状態を概説する。
【００３２】
図示するように、架台Ｄ上に載置されたコイルスプリングコンプレッサ１００において、たとえばサスペンションＰのコイルスプリングＳにそのコイルスプリングコンプレッサ１００のフック４、５、６、７を係合させ、フック４、５でコイルスプリングＳの一端側を支持し、フック６、７でコイルスプリングＳの他端側を支持した姿勢で、二つのアーム２、３をボデー１の軸心Ｌ方向で近接させる。これにより、コイルスプリングＳの付勢力に抗してコイルスプリングＳをボデー１の軸心Ｌ方向へ圧縮することができる。ここで、フック４、５同士とフック６、７同士はそれぞれ、コイルスプリングＳの軸心に対して略対称な位置に配設されており、コイルスプリングＳをボデー１の軸心Ｌ方向へ略均一に圧縮することができる。
【００３３】
このようにコイルスプリングＳをボデー１の軸心Ｌ方向へ圧縮した状態で、サスペンションＰの分解、組付け、交換などの作業をおこなった後、二つのアーム２、３をボデー１の軸心Ｌ方向で離間させ、たとえばコイルスプリングＳを元の長さや自然長に戻し、フック４、５、６、７をコイルスプリングＳから外す。
【００３４】
図５〜図１０を参照して、図１で示すコイルスプリングコンプレッサの使用方法をより具体的に説明すると、まず、図５で示すように、抜止めピン２７、２８、３７、３８を各取付プレート２３、２４、３３、３４の貫通孔２５、２６、３５、３６から外した状態で、アーム２に取り付けられたフック４、５とアーム３に取り付けられたフック６、７をコイルスプリングＳの巻線角度θに追従させるようにアーム構成体２１、２２やアーム構成体３１、３２に対して傾斜させながら、各フック４、５、６、７をコイルスプリングＳに係合させる（図５（ａ）、（ｂ）参照）。これにより、各フック４、５、６、７の凹面４１、５１、６１、７１とコイルスプリングＳとを面接触させてコイルスプリングＳを支持することができ、コイルスプリングＳの変形や損傷を抑制することができる（図５（ｃ）参照）。ここで、取付プレート２３、２４、３３、３４はそれぞれフック４、５、６、７と連結されており、取付プレート２３、２４とフック４、５とは、アーム構成体２１、２２に対して同期して回転軸心Ｌ２１、Ｌ２２周りで回転し、取付プレート３３、３４とフック６、７とは、アーム構成体３１、３２に対して同期して回転軸心Ｌ３１、Ｌ３２周りで回転している。また、各フック４、５、６、７をコイルスプリングＳに係合させる際には、アーム構成体２２をアーム構成体２１の基部に対して相対的に回転させたり、アーム構成体３２をアーム構成体３１の基部に対して相対的に回転させることで、コイルスプリングＳのコイル径などに対してアーム２、３の形状、すなわちフック４、５同士やフック６、７同士の相対的な位置を調整することもできる。
【００３５】
次いで、図６で示すように、抜止めピン２７、２８、３７、３８を各取付プレート２３、２４、３３、３４の貫通孔２５、２６、３５、３６を通して取り付ける。ここで、上記するように、取付プレート２３、２４とフック４、５がアーム構成体２１、２２に対して同期して回転し、取付プレート３３、３４とフック６、７がアーム構成体３１、３２に対して同期して回転しているため、コイルスプリングＳの巻線角度θが変化しても、フック４、５、６、７と抜止めピン２７、２８、３７、３８とコイルスプリングＳの相対的な位置関係が維持されている（図６（ａ）、（ｂ）参照）。たとえばフック４、５、６、７と抜止めピン２７、２８、３７、３８との相対的な距離ＤがコイルスプリングＳの巻線径ｄよりも小さい状態で略一定に維持されており、コイルスプリングＳがフック４、５、６、７から脱落するのが確実に防止されている。また、抜止めピン２７、２８、３７、３８を取り付けた際、抜止めピン２７、２８、３７、３８とコイルスプリングＳの間に空隙が設けられており、フック４、５、６、７の凹面４１、５１、６１、７１と抜止めピン２７、２８、３７、３８で画成される空間にコイルスプリングＳが遊嵌されており、コイルスプリングＳの圧縮時などにコイルスプリングＳに付与される力が緩和されている（図６（ｃ）参照）。
【００３６】
このように、フック４、５、６、７の凹面４１、５１、６１、７１と抜止めピン２７、２８、３７、３８で画成される空間にコイルスプリングＳを支持し、図７（ａ）で示すように、コイルスプリングコンプレッサ１００にコイルスプリングＳをセットした状態で、二つのアーム２、３をボデー１の軸心Ｌ方向で近接させることによって、図８（ａ）で示すように、コイルスプリングＳをボデー１の軸心Ｌ方向へ圧縮させる。
【００３７】
ここで、図７（ｂ）および図８（ｂ）で示すように、コイルスプリングコンプレッサ１００によってコイルスプリングＳを圧縮するに従って、たとえばアーム構成体２１、２２、３１、３２に対するコイルスプリングＳの巻線角度が小さくなる（θ１からθ２へ変化する）。本実施の形態では、上記するように、抜止めピン２７、２８が取り付けられた取付プレート２３、２４とフック４、５とが、アーム構成体２１、２２に対して同期して回転軸心Ｌ２１、Ｌ２２周りで回転し、抜止めピン３７、３８が取り付けられた取付プレート３３、３４とフック６、７とが、アーム構成体３１、３２に対して同期して回転軸心Ｌ３１、Ｌ３２周りで回転する。そのため、コイルスプリングＳが圧縮される間のコイルスプリングＳの巻線角度の変化に追従するように、取付プレート２３、２４とフック４、５とがアーム構成体２１、２２に対して同期して回転し、取付プレート３３、３４とフック６、７とがアーム構成体３１、３２に対して同期して回転し、コイルスプリングＳが圧縮される間に亘って、各フック４、５、６、７の凹面４１、５１、６１、７１とコイルスプリングＳとを面接触させてコイルスプリングＳを支持することができ、コイルスプリングＳの変形や損傷を抑制することができる。また、コイルスプリングコンプレッサ１００によってコイルスプリングＳが圧縮されるに従って、各フック４、５、６、７とコイルスプリングＳの位置関係が変化することが考えられるものの、本実施の形態では、フック４、５、６、７の凹面４１、５１、６１、７１と抜止めピン２７、２８、３７、３８で画成される空間にコイルスプリングＳが遊嵌されており、コイルスプリングＳを圧縮する際に、フック４、５、６、７の凹面４１、５１、６１、７１と抜止めピン２７、２８、３７、３８で画成される空間内でコイルスプリングＳを摺動させることができるため、コイルスプリングＳに付与される力を緩和することができ、コイルスプリングＳの変形や損傷をより一層抑制することができる。
【００３８】
このように、本実施の形態によれば、簡単な構成でフック４、５、６、７からコイルスプリングＳが脱落するのを防止することができ、コイルスプリングＳの変形や損傷を抑制しながら様々なタイプのコイルスプリングを確実に支持して圧縮させることができるため、サスペンションの分解、組付け、交換などの作業性を格段に高めることができる。
【００３９】
なお、上記する実施の形態では、二つのアームを使用し、それぞれのアームに対して二つのフックを取り付ける形態について説明したが、アームの基数や各アームに取り付けるフックの基数は、コイルスプリングの外径や巻数、弾性係数などに応じて適宜変更することができる。
【００４０】
また、上記する実施の形態では、アーム構成体の先端部の外面に取り付けた取付プレートに抜止めピンを取り付ける形態について説明したが、たとえばアームやフックに抜止めピンを取り付けてもよいし、取付プレートをアーム構成体の先端部の内面とフックとの間に配置してもよい。
【００４１】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００４２】
１…ボデー、２、３…アーム、２１、２２、３１、３２…アーム構成体、２３、２４、３３、３４…取付プレート、２５、２６、３５、３６…貫通孔、２７、２８、３７、３８…抜止めピン、４、５、６、７…フック、４１、５１、６１、７１…凹面、１００…コイルスプリングコンプレッサ、Ｄ…架台、Ｌ…ボデーの軸心、Ｐ…サスペンション、Ｓ…コイルスプリング
【図１】
2014104531.tif 000003
【図２】
2014104531.tif 000004
【図３】
2014104531.tif 000005
【図４】
2014104531.tif 000006
【図５】
2014104531.tif 000007
【図６】
2014104531.tif 000008
【図７】
2014104531.tif 000009
【図８】
2014104531.tif 000010